(57)【要約】【課題】ヘッドの先端部から舞い上がりヘッドの上方を通過する埃を減らし、高い清掃効果を有するダスターモップヘッドを提供すること。【解決手段】下面に塵埃や汚れを吸着するシート１を装着可能に構成され、清掃時にダスターモップヘッド２の先端２ａで発生しダスターモップヘッド２の上方を通過する塵埃を減少させる塵埃遮蔽手段を設けた。遮蔽手段としては遮蔽板４や遮蔽ボックスなどを用いることができる。【選択図】  図１
2014000321.tif 000002
【特許請求の範囲】
【請求項１】
下面に塵埃や汚れを吸着するシートを装着可能に構成されたダスターモップヘッドと該ダスターモップヘッドに取り付けられた棒状の把手とからなる掃除用モップに使用されるダスターモップヘッドであって、
清掃時に該ダスターモップヘッドの先端部分で発生し該ダスターモップヘッドの上方を通過する塵埃を減少させる塵埃遮蔽手段を設けたことを特徴とするダスターモップヘッド。
【請求項２】
前記塵埃遮蔽手段は、前記ダスターモップヘッドの先端に沿って配置された板状の遮蔽板からなり、該遮蔽板と前記ダスターモップヘッドの下面との成す角度が３０〜１５０度であることを特徴とする請求項1に記載のダスターモップヘッド。
【請求項３】
前記塵埃遮蔽手段は、前記ダスターモップヘッドの前方の上方に配置された第1の遮蔽部と、該第1の遮蔽部と一体化し前記ダスターモップヘッドの上面に固定された第２の遮蔽部とを有することを特徴とする請求項1に記載のダスターモップヘッド。
【請求項４】
前記第1の遮蔽部は矩形状の第1の平板よりなり、前記第２の遮蔽部は前記第1の平板の１辺に１辺を結合した矩形状の第２の平板からなり、前記第1の平板と前記第２の平板との成す角度は３０〜１２０度であることを特徴とする請求項３に記載のダスターモップヘッド。
【請求項５】
前記塵埃遮蔽手段は、下向きに開口を有し前記ダスターモップヘッドの先端部分を上方から覆う箱状の遮蔽ボックスからなることを特徴とする請求項1に記載のダスターモップヘッド。
【請求項６】
前記遮蔽板、前記第1の遮蔽部、前記第２の遮蔽部または前記遮蔽ボックスは、該遮蔽板、該第1の遮蔽部、該第２の遮蔽部または該遮蔽ボックスが障害物に当接したときに変形または移動可能に構成されていることを特徴とする請求項２乃至請求項５のいずれか１項に記載のダスターモップヘッド。
【請求項７】
前記ダスターモップヘッドの平面形状は長尺方向と短尺方向を有し、前記ダスターモップヘッドの下面の前記短尺方向の中央部に長尺方向に渡って窪みを有することを特徴とする請求項１乃至請求項６のいずれか１項に記載のダスターモップヘッド。
【請求項８】
前記ダスターモップヘッドは、長尺方向と短尺方向を有する平面形状を有する２つのヘッド部を、前記短尺方向に間隔を開けて併置して構成したことを特徴とする請求項１乃至請求項６のいずれか１項に記載のダスターモップヘッド。
【請求項９】
前記ダスターモップヘッドの下面の前記窪みの前側および後側の部分、または併置された２つのヘッド部の下面はそれぞれ傾斜面を有し、それぞれ先端が最下端、後端が最上端となることを特徴とする請求項７または請求項８に記載のダスターモップヘッド。
【発明の詳細な説明】
【技術分野】
【０００１】
本発明は、掃除用モップのヘッド部分であるダスターモップヘッドに関する。
【背景技術】
【０００２】
一般に、床の塵埃や汚れなどを拭き取るために、把手の先に板状のヘッド、すなわちダスターモップヘッドを取り付け、そのヘッドに交換が容易で埃や塵を吸着するシートを装着した掃除用モップが使用されている。従来の掃除用モップの一例が特許文献１に記載されている。
【先行技術文献】
【特許文献】
【０００３】
【特許文献１】特開２００７−３７９８２号公報
【発明の概要】
【発明が解決しようとする課題】
【０００４】
従来、このような掃除用モップを使用して床などを掃除する場合、ダスターモップヘッドを動かすとそのヘッドの先端部分から埃が舞い上がり、その埃はヘッドの上を通過してヘッドが通り過ぎた後の床に再び付着してしまうことが多い。特にヘッドを床に下ろしたときに埃などが舞い上がることが多い。これにより掃除用モップの清掃効果は低下してしまう。
【０００５】
そこで、本発明は、係る問題を解決するためになされたものであり、ヘッドの先端部から舞い上がりヘッドの上方を通過する埃を減らし、高い清掃効果を有するダスターモップヘッドを提供することを目的とする。
【課題を解決するための手段】
【０００６】
第１の観点では、本発明は、下面に塵埃や汚れを吸着するシートを装着可能に構成されたダスターモップヘッドと該ダスターモップヘッドに取り付けられた棒状の把手とからなる掃除用モップに使用されるダスターモップヘッドであって、清掃時に該ダスターモップヘッドの先端部分で発生し該ダスターモップヘッドの上方を通過する塵埃を減少させる塵埃遮蔽手段を設けたことを特徴とするダスターモップヘッドを提供する。本発明のダスターモップヘッドでは、塵埃遮蔽手段により、ヘッドの先端部から舞い上がりヘッドの上方を通過する埃を減らすことができ、高い清掃効果が得られる。
【０００７】
第２の観点では、本発明は、第1の観点のダスターモップヘッドにおいて、前記塵埃遮蔽手段は、前記ダスターモップヘッドの先端に沿って配置された板状の遮蔽板からなり、該遮蔽板と前記ダスターモップヘッドの下面との成す角度が３０〜１５０度であることを特徴とする。このような構成により、ヘッドの先端部から舞い上がった埃は遮蔽板により妨げられて再びヘッドの先端部に落下するか、または遮蔽板に捕獲されることにより、その埃がヘッドの上方を通過するのを防止することができる。
【０００８】
第３の観点では、本発明は、前記第１の観点のダスターモップヘッドにおいて、前記塵埃遮蔽手段は、前記ダスターモップヘッドの前方の上方に配置された第1の遮蔽部と、該第1の遮蔽部と一体化し前記ダスターモップヘッドの上面に固定された第２の遮蔽部とを有することを特徴とする。本観点の発明では、ヘッドの先端部から舞い上がった埃はダスターモップヘッドの前方を上方から覆う第1の遮蔽部によりその拡散が妨げられるので、その埃は再びヘッドの先端部に落下するか、または第1の遮蔽部および第２の遮蔽部に捕獲され、その埃がヘッドの上方を通過するのを防止することができる。これにより、さらに高い塵埃の遮蔽効果が得られる。
【０００９】
第４の観点では、本発明は、前記第３の観点のダスターモップヘッドにおいて、前記第1の遮蔽部は矩形状の第1の平板よりなり、前記第２の遮蔽部は前記第1の平板の１辺に１辺を結合した矩形状の第２の平板からなり、前記第1の平板と前記第２の平板との成す角度は３０〜１２０度であることを特徴とする。このような構成により、第1の遮蔽部と第２の遮蔽部を簡単な構成で実現できる。なお、この場合、第1の平板と第２の平板は１枚の平板を折り曲げて構成してもよく、または２枚の平板を結合して構成しても良い。また、第1の平板と第２の平板との成す角度が３０度より小さいと第1の平板のダスターモップヘッドの前方へ張り出す幅が小さくなりすぎて埃の遮蔽効果が小さくなり、一方、その角度が１２０度より大きいと第1の平板のダスターモップヘッドの前方へ張り出す幅が大きくなりすぎて清掃の妨げとなり易いので、その角度は３０〜１２０度であることが望ましい。
【００１０】
第５の観点では、本発明は、前記第１の観点のダスターモップヘッドにおいて、前記塵埃遮蔽手段は、下向きに開口を有し前記ダスターモップヘッドの先端部分を上方から覆う箱状の遮蔽ボックスからなることを特徴とする。このような構成により、ヘッドの先端部から舞い上がった埃を遮蔽ボックスにより捕獲し、その埃がヘッドの上方を通過するのを防止することができる。
【００１１】
第６の観点では、本発明は、前記第２乃至第５のいずれかの観点のダスターモップヘッドにおいて、前記遮蔽板、前記第1の遮蔽部、前記第２の遮蔽部または前記遮蔽ボックスは、該遮蔽板、該第1の遮蔽部、該第２の遮蔽部または該遮蔽ボックスが障害物に当接したときに変形または移動可能に構成されていることを特徴とする。ダスターモップヘッドが壁や家具などに突き当たったときに、遮蔽板、第1の遮蔽部、第２の遮蔽部や遮蔽ボックスが容易に曲がるような変形や、引っ込むような移動が可能であると、ダスターモップヘッドにより床の壁際や家具の近辺まで掃除することが可能となる。この場合の具体的な構成方法としては、遮蔽板、第1の遮蔽部、第２の遮蔽部や遮蔽ボックスをスポンジ板などの変形可能な材料で構成すること、遮蔽板を回転可能に構成すること、第1の遮蔽部と第２の遮蔽部間を折りたたみ可能に構成すること、遮蔽ボックスをダスターモップヘッド上で移動可能に構成することなどがある。
【００１２】
第７の観点では、本発明は、前記第１乃至第６のいずれかの観点のダスターモップヘッドにおいて、前記ダスターモップヘッドの平面形状は長尺方向と短尺方向を有し、前記ダスターモップヘッドの下面の前記短尺方向の中央部に長尺方向に渡って窪みを有することを特徴とする。一般的に、下面に塵埃を吸着するシートを装着可能に構成されたダスターモップヘッドは略長方形の平面形状を有し、その長辺の一辺を先端として押し出すようにして床などを清掃する。この場合、通常、主として吸着シートの先端部分にのみ多くの塵埃や汚れが吸着され、吸着シートの後側の部分は清掃に寄与する効果は小さい。そこで本観点の発明では、ダスターモップヘッドの下面の中央部に長尺方向に渡って窪みを設けることにより、床に押し付けたときの先端部と同様な効果が得られる部分が窪みの後側にも生ずるとともに、窪みの部分にも塵埃が捕獲されるように構成し、吸着シートの清掃効果を高めている。すなわち、吸着シートの前側で取りこぼした塵埃を窪みや後側の部分でさらに捕獲するものである。これにより、より高い清掃効果を有するダスターモップヘッドが得られる。
【００１３】
第８の観点では、本発明は、前記第１乃至第６のいずれかの観点のダスターモップヘッドにおいて、前記ダスターモップヘッドは、長尺方向と短尺方向を有する平面形状を有する２つのヘッド部を、前記短尺方向に間隔を開けて併置して構成したことを特徴とする。本観点の発明ではヘッド部を２つに分けることにより、第５の観点の発明と同様にダスターモップヘッドは２つの先端部を有することになり、より高い清掃効果を有する。なお、吸着シートは２つのヘッド部に対して１枚のシートを装着してもよく、ヘッド部毎に異なるシートを装着してもよい。
【００１４】
第９の観点では、本発明は、前記第７または第８の観点のダスターモップヘッドにおいて、前記ダスターモップヘッドの下面の前記窪みの前側および後側の部分、または併置された２つのヘッド部の下面はそれぞれ傾斜面を有し、それぞれ先端が最下端、後端が最上端となることを特徴とする。本観点の発明は、２つの先端部を有するダスターモップヘッドのそれぞれの下面部分において先端が最下端となり後端が最上端となるような傾斜を設けることにより、清掃時にそれぞれの先端部にかかる圧力を大きくして清掃効果をさらに高めるものである。
【発明の効果】
【００１５】
上記のように、本発明により、ヘッドの先端部から舞い上がりヘッドの上方を通過する埃を減らし、高い清掃効果を有するダスターモップヘッドが得られる。
【図面の簡単な説明】
【００１６】
【図１】実施例１に係るダスターモップヘッドを使用した掃除用モップを示す斜視図。
【図２】実施例２に係るダスターモップヘッドを示す側面図。
【図３】実施例３に係るダスターモップヘッドを示す側面図。
【図４】実施例４に係るダスターモップヘッドを示す側面図。
【図５】実施例５に係るダスターモップヘッドを示す図であり、図５（ａ）は実施例５に係るダスターモップヘッドを使用した掃除用モップを示す斜視図、図５（ｂ）は側面図。
【図６】実施例６に係るダスターモップヘッドを示す側面図。
【図７】実施例７に係るダスターモップヘッドを示す図であり、図７（ａ）は実施例７に係るダスターモップヘッドを使用した掃除用モップを示す斜視図、図７（ｂ）は図７（ａ）のＡＡ断面図。
【図８】実施例８に係るダスターモップヘッドを使用した掃除用モップを示す斜視図。
【図９】実施例９に係るダスターモップヘッドを示す側面図。
【発明を実施するための形態】
【００１７】
以下、図面を参照して本発明のダスターモップヘッドを実施例により詳細に説明する。なお、図面の説明において同一の要素には同一符号を付し、その重複した説明を省略する。
【実施例１】
【００１８】
図１は、実施例１に係るダスターモップヘッドを使用した掃除用モップを示す斜視図である。図１において、本実施例のダスターモップヘッド２は、略長方形の平面形状を有し、下面に塵埃や汚れを吸着する吸着シート１を装着可能に構成されている。ダスターモップヘッド２とダスターモップヘッド２に取り付けられた棒状の把手３とにより掃除用モップ１０が構成される。図１の矢印に示すように、ダスターモップヘッド２は、長辺の一方を先端として、移動させて清掃に使用される。ダスターモップヘッド２には、清掃時にダスターモップヘッド２の先端２ａで発生しダスターモップヘッド２の上方を通過する塵埃を減少させる塵埃遮蔽手段として遮蔽板４を設けている。遮蔽板４は、ダスターモップヘッド２の先端に沿って配置された長方形の板状の部品である。遮蔽板４は、ダスターモップヘッド２の上面に、遮蔽板４の一方の長辺４ｂ付近を軸として、ダスターモップヘッドの下面との成す角度が３０〜９０度の範囲で回転し、いずれかの角度で固定可能に取り付けられている。
【００１９】
また、本実施例のダスターモップヘッド２は、その下面の短辺方向の中央部に長辺方向に渡って窪み５を有している。窪み５を設けることにより、ダスターモップヘッド２を床に押し付けたとき、先端部と同様に清掃への寄与が大きい部分が窪み５の後側にも生ずるとともに、窪みの部分にも塵埃が捕獲されるので、吸着シート１の清掃効果が高められる。
【００２０】
なお、遮蔽板４は長辺の長さがダスターモップヘッド２の長辺の長さとほぼ等しく、短辺の長さは５〜３０ｃｍ程度の範囲内で、ダスターモップヘッド２の用途に応じて、ダスターモップヘッド２の上方を通過する塵埃をできるだけ遮断するように設定する。また、遮蔽板４の先端の長辺４ａがダスターモップヘッド２の先端２ａより後側に位置するように遮蔽板４の短辺の長さ、設置位置、回転角度などを設定することができる。この場合は、遮蔽板４の材料としては、適度な厚さのプラスチック板やアクリル板のように変形が困難な材料を用いてもよい。
【実施例２】
【００２１】
図２は、実施例２に係るダスターモップヘッドを示す側面図である。図２において、本実施例のダスターモップヘッド１２は、略長方形の平面形状を有する２つのヘッド部１２ａ、１２ｂを、その短辺方向に間隔を開けて併置して構成している。２つのヘッド部１２ａ、１２ｂは連結部１６により連結され、その連結部１６に掃除用モップの把手３を取り付けている。また、前側のヘッド部１２ａの上面の先端には略長方形板状の遮蔽板１４が、ダスターモップヘッド１２の下面との成す角度が９０〜１５０度の範囲のいずれかの角度となるように取り付けられている。
【００２２】
本実施例においては、吸着シート１１は、２つのヘッド部１２ａ、１２ｂの下面と遮蔽板１４の前側の面を同時に覆うように装着される。これにより、吸着シート１１の交換により、遮蔽板１４に付着した塵埃も同時に除去できる。また、２つのヘッド部を有することにより、ダスターモップヘッド１２は２つの先端部を有することになり、実施例１と同様に高い清掃効果を有する。
【実施例３】
【００２３】
図３は、実施例３に係るダスターモップヘッドを示す側面図である。図３において、本実施例のダスターモップヘッド２２は、実施例１と同様な略長方形の平面形状を有しているが、下面は平坦である。また、ダスターモップヘッド２２の上方を通過する塵埃を減少させるため実施例１と同様な形状の遮蔽板２４を設けている。遮蔽板２４は、ダスターモップヘッド２２の上面に、遮蔽板２４の一方の長辺２４ｂ付近を軸として、ダスターモップヘッド２２の下面との成す角度が４５〜９０度程度の範囲で回転可能に取り付けられている。
【００２４】
本実施例においては、通常は遮蔽板２４の角度は遮蔽板２４に働く重力またはバネなどにより最小の角度で保持され、清掃中に遮蔽板２４の先端の長辺２４ａが壁や家具などの障害物に突き当たったときに、遮蔽板２４が回転し、その先端２４ａが後側に移動することで床の壁際や家具の近辺まで掃除することが可能となる。
【実施例４】
【００２５】
図４は、実施例４に係るダスターモップヘッドを示す側面図である。図４において、本実施例のダスターモップヘッド３２は、実施例１と同様な略長方形の平面形状を有しているが、下面は平坦である。また、ダスターモップヘッド３２の上方を通過する塵埃を減少させるため実施例１と同様な形状の遮蔽板３４を設けている。遮蔽板３４は、ダスターモップヘッド３２の上面に、遮蔽板３４の一方の長辺３４ｂが固定され、ダスターモップヘッド３２の下面との成す角度が３０〜６０度程度となるように取り付けられている。
【００２６】
本実施例においては、遮蔽板３４は変形可能な材料で構成されている。例えば、スポンジ板やゴム板などである。清掃中に遮蔽板３４の先端の長辺３４ａが壁や家具などの障害物に突き当たったときに、遮蔽板３４が変形し、その当接部分が後側に移動することで床の壁際や家具の近辺まで掃除することが可能となる。
【実施例５】
【００２７】
図５は実施例５に係るダスターモップヘッドを示す図であり、図５（ａ）は実施例５に係るダスターモップヘッドを使用した掃除用モップを示す斜視図、図５（ｂ）は側面図である。図５（ａ）において、本実施例のダスターモップヘッド４２は、実施例１と同様に、略長方形の平面形状を有しており、下面の短辺方向の中央部に長辺方向に渡って窪み５を有している。本実施例のダスターモップヘッド４２の塵埃遮蔽手段は、ダスターモップヘッド４２の前方の上方に配置された第1の遮蔽部と、第1の遮蔽部と一体化しダスターモップヘッド４２の上面に固定された第２の遮蔽部とを有しており、その第1の遮蔽部は矩形状の第1の平板４４ａからなり、第２の遮蔽部は第1の平板４４ａの１辺に１辺を結合した矩形状の第２の平板４４ｂから構成されている。また、第1の平板４４ａと第２の平板４４ｂとの成す角度は４５〜９０度程度である。第1の平板４４ａの先端は床９より数ｃｍ程度上方に位置するように構成される。
【００２８】
清掃時にダスターモップヘッド４２の先端部分から舞い上がった埃などはダスターモップヘッドの前方を上方から覆う第1の平板４４ａによりその拡散が妨げられ、さらに第２の平板４４ｂによりダスターモップヘッド４２の上方を通過するのを妨げられるので、その埃は再びヘッドの先端部に落下するか、または第1の平板４４ａと第２の平板４４ｂに捕獲される。これにより、ダスターモップヘッド４２の上方を通過する塵埃を大幅に減少させることができる。
【００２９】
本実施例においては、第２の平板４４ｂの１辺はダスターモップヘッド４２の上面に回転可能に固定され、また、第1の平板４４ａと第２の平板４４ｂとの接続部は、例えば蝶番などのような機能を有する部材によりその角度が可変となるように構成され、清掃中に第1の平板４４ａの先端が壁や家具などの障害物に突き当たったときに変形移動することで床の壁際や家具の近辺まで掃除することが可能となる。または、第1の平板４４ａをスポンジ板やゴム板などの変形可能な材料で構成し、第1の平板４４ａと第２の平板４４ｂとの接続部がダスターモップヘッド４２の先端部分より後側に位置するように構成することによっても、壁などの近辺まで掃除することが可能となる。
【実施例６】
【００３０】
図６は実施例６に係るダスターモップヘッドを示す側面図である。図６において、本実施例のダスターモップヘッド４７は、実施例１と同様に、略長方形の平面形状を有しており、下面の短辺方向の中央部に長辺方向に渡って窪み５を有している。本実施例のダスターモップヘッド４７の塵埃遮蔽手段は、実施例６と同様に、ダスターモップヘッド４２の前方の上方に配置された矩形状の第1の平板４８ａと、第1の平板４８ａの１辺に１辺を結合し、その対向する辺をダスターモップヘッド４７の上面に固定した矩形状の第２の平板４８ｂとを有している。本実施例のダスターモップヘッド４７においては、第２の平板４８ｂはダスターモップヘッド４７の上面の先端に固定され、第1の平板４８ａと第２の平板４８ｂは変形可能な材料で構成している。本実施例においても、ダスターモップヘッド４７の上方を通過する塵埃を大幅に減少させることができる。さらに、図６に示すように着脱可能な吸着シート４１を第1の平板４８ａと第２の平板４８ｂの下側にも設置することにより、第1の平板４８ａと第２の平板４８ｂに付着した汚れを簡便に除くことができる。
【実施例７】
【００３１】
図７は実施例７に係るダスターモップヘッドを示す図であり、図７（ａ）は実施例７に係るダスターモップヘッドを使用した掃除用モップを示す斜視図、図７（ｂ）は図７（ａ）のＡＡ断面図である。図７（ａ）において、本実施例のダスターモップヘッド５２は、実施例１と同様に、略長方形の平面形状を有しており、下面の短辺方向の中央部に長辺方向に渡って窪み５を有している。但し、本実施例のダスターモップヘッド５２の塵埃遮蔽手段は、下向きに開口を有し、ダスターモップヘッド５２の先端部分を上方から覆う箱状の遮蔽ボックス５４により構成されている。図７（ｂ）に示すように、遮蔽ボックス５４はダスターモップヘッド５２の先端部分から前方に張り出して下側に開口を有し、さらに遮蔽ボックス５４の前面の先端部分は床９の上方１〜数ｃｍ程度に床に近接しているので、清掃時にダスターモップヘッド５２の先端部分から舞い上がった埃などは遮蔽ボックス内に収納されることになり、ダスターモップヘッド５２の上方を通過する塵埃を大幅に減少させることができる。なお、遮蔽ボックス５４の側面の一部またはすべてを除くことにより遮蔽ボックス５４を固定したまま吸着シート１の交換を容易に行えるようにしてもよい。
【００３２】
本実施例においては、遮蔽ボックス５４は、ダスターモップヘッド５２の上面の前方に遮蔽ボックス５４の内面の形状に合わせてコ字型に配置されたボックス支持部５５に嵌め合うことによりその位置が固定されてダスターモップヘッド５２の上面に固定される。また、遮蔽ボックス５４は、例えば、スポンジ板やゴム板などの変形可能な材料で構成されているので、清掃中にその先端が壁や家具などの障害物に突き当たったときに、その当接部分が後側に変形移動することで床の壁際や家具の近辺まで掃除することが可能となる。
【実施例８】
【００３３】
図８は実施例８に係るダスターモップヘッドを使用した掃除用モップを示す斜視図である。基本的な構成は実施例７と同様であり、遮蔽ボックス６４の形状および保持方法のみ実施例７と異なっている。本実施例においては、遮蔽ボックス６４はその中央部の後側に凹部６６があり、壁や家具などの障害物に突き当たったときに遮蔽ボックス６４が後側に平行移動し、凹部６６に把手３が挿入される構成となっている。障害物に当接しない状態では、遮蔽ボックス６４は図６のように前方に張り出した状態となるようにバネなどで保持されている。遮蔽ボックス６４の材料としては、適度な厚さのプラスチック板やアクリル板のように変形が困難な材料を用いてもよい。
【実施例９】
【００３４】
図９は、実施例９に係るダスターモップヘッドを示す側面図である。図９において、本実施例のダスターモップヘッド７２は、実施例１と同様に、略長方形の平面形状を有し、その下面の短辺方向の中央部に長辺方向に渡って窪み７５を有している。但し、本実施例のダスターモップヘッド７２では、下面の窪み７５の前側の部分７２ａおよび後側の部分７２ｂの下面はダスターモップヘッド７２の上面に対して傾斜しており、それぞれ清掃方向の先端が最下端、後端が最上端となるように構成されている。このような傾斜を設けることにより、清掃時にそれぞれの部分の先端にかかる圧力を大きくして、より高い清掃効果を得ている。この場合、下面の傾斜角度は、ダスターモップヘッドを床に押し付けたときに、下面の吸着シートのほぼ全体が床に接するような角度であることが望ましい。なお、本実施例における遮蔽板７４の形状、構成は実施例３の遮蔽板２４と同様である。
【００３５】
なお、本発明は上記の実施例に限定されるものではないことは言うまでもなく、目的や用途に応じて設計変更可能である。例えば、ダスターモップヘッドの平面形状は楕円形などであってもよい。また、ダスターモップヘッドの下面には長尺方向の中央部に短尺方向に渡る窪みを設けてもよい。また、遮蔽板、第1および第２の遮蔽部や遮蔽ボックスの形状、材料、配置などは上記に示したものに限定されない。例えば、第1および第２の遮蔽部の形状は矩形状の平板でなくてもよく、下側に湾曲した曲面を有する部材などを用いてもよい。
【符号の説明】
【００３６】
１、１１、４１      吸着シート
２、１２、２２、３２、４２、４７、５２、７２    ダスターモップヘッド
２ａ          先端
３            把手
４、１４、２４、７４    遮蔽板
４ａ、４ｂ、２４ａ、２４ｂ、３４ａ、３４ｂ    長辺
５、７５      窪み
９            床
１０            掃除用モップ
１２ａ、１２ｂ  ヘッド部
１６            連結部
４４ａ、４８ａ  第1の平板
４４ｂ、４８ｂ  第２の平板
５４、６４      遮蔽ボックス
６６            凹部
【図１】
2014000321.tif 000003
【図２】
2014000321.tif 000004
【図３】
2014000321.tif 000005
【図４】
2014000321.tif 000006
【図５】
2014000321.tif 000007
【図６】
2014000321.tif 000008
【図７】
2014000321.tif 000009
【図８】
2014000321.tif 000010
【図９】
2014000321.tif 000011